(57)【特許請求の範囲】
【請求項１】
デジタルデータ処理装置によって実行されるウェブサイト更新イベントへの応答方法において、前記ウェブサイト更新イベントへの応答方法は、
インスタントメッセージングクライアントで、前記インスタントメッセージングクライアントの現在のユーザに関連付けられているユーザアカウントのソーシャルネットワーキングサイト（ＳＮＳ）での個人の動的情報の更新イベントに関する指示メッセージを受信し、前記指示メッセージは、ユーザが応答するように指示する情報を含むステップと、
前記インスタントメッセージングクライアントで、ユーザが応答するように指示する情報が受信されると、更新された個人の動的情報をローディングかつレンダリングするステップと、
前記インスタントメッセージングクライアントで、ローディングかつレンダリングされた更新された個人の動的情報に基づいて、応答ウィンドウを生成かつ出力することにより、前記インスタントメッセージングクライアントのユーザが前記ＳＮＳでの前記更新された個人の動的情報に対して、新しいブラウザ及びウェブページを開いて対応するコンテンツを見つけることなく、迅速かつ即時に前記応答ウィンドウで応答することを可能にするステップと、を含むことを特徴とするウェブサイト更新イベントへの応答方法。
【請求項２】
前記インスタントメッセージングクライアントで、ローディングかつレンダリングされた更新された個人の動的情報に基づいて、前記応答ウィンドウを生成かつ出力することにより、前記インスタントメッセージングクライアントのユーザが前記応答ウィンドウで応答することを可能にするステップは、
前記インスタントメッセージングクライアントで、外部オブジェクトにより、ウィンドウ属性設定方法及びウィンドウ設定完了通知方法をバンドルするステップと、
前記外部オブジェクトによりバンドルされたウィンドウ属性設定方法に基づいて、前記ウェブサイト更新イベントにより更新されたページの属性を設定することにより、前記応答ウィンドウを生成するステップと、
前記外部オブジェクトによりバンドルされたウィンドウ設定完了通知方法に基づいて、前記応答ウィンドウを出力することにより、前記インスタントメッセージングクライアントのユーザが前記応答ウィンドウで応答することを可能にするステップと、を含むことを特徴とする請求項１に記載の方法。
【請求項３】
前記ウィンドウ属性設定方法は、ウィンドウサイズ設定、ウィンドウ背景色設定又はウィンドウ表題設定を含むことを特徴とする請求項２に記載の方法。
【請求項４】
前記方法は、前記インスタントメッセージングクライアントで、ローディングかつレンダリングされた更新された個人の動的情報に基づいて、応答ウィンドウを生成かつ出力することにより、前記インスタントメッセージングクライアントのユーザが前記応答ウィンドウで応答することを可能にするステップの後に、さらに、
出力された前記応答ウィンドウが閉じられておらず、かつ前記ユーザのＳＮＳでの再度更新された個人の動的情報を受信した場合、前記応答ウィンドウ用に再度更新された個人の動的情報のデータをリクエストし、かつ前記再度更新された個人の動的情報のデータに基づいて、前記応答ウィンドウに表示される内容をリアルタイムに更新するステップを含むことを特徴とする請求項１に記載の方法。
【請求項５】
前記更新イベントは、日記更新イベント、写真アルバム更新イベント、会話更新イベント、共有資料更新イベントの１つ以上を含むことを特徴とする請求項１に記載の方法。
【請求項６】
情報受信ユニットとローディングユニットと出力ユニットとを含むウェブサイト更新イベントへの応答システムにおいて、
前記情報受信ユニットは、インスタントメッセージングクライアントで、前記インスタ
ントメッセージングクライアントの現在のユーザに関連付けられているユーザアカウントのＳＮＳでの個人の動的情報の更新イベントに関する指示メッセージを受信し、前記指示メッセージは、ユーザが応答するように指示する情報を含み、
前記ローディングユニットは、前記インスタントメッセージングクライアントで、ユーザが応答するように指示する情報が受信されると、更新された個人の動的情報をローディングかつレンダリングし、
前記出力ユニットは、前記インスタントメッセージングクライアントで、ローディングかつレンダリングされた更新された個人の動的情報に基づいて、応答ウィンドウを生成かつ出力することにより、前記インスタントメッセージングクライアントのユーザが前記ＳＮＳでの前記更新された個人の動的情報に対して、新しいブラウザ及びウェブページを開いて対応するコンテンツを見つけることなく、迅速かつ即時に前記応答ウィンドウで応答することを可能にすることを特徴とするウェブサイト更新イベントへの応答システム。
【請求項７】
前記出力ユニットは、バンドリングモジュールと、生成モジュールと、出力モジュールとを含み、
前記バンドリングモジュールは、前記インスタントメッセージングクライアントで、外部オブジェクトにより、ウィンドウ属性設定方法及びウィンドウ設定完了通知方法をバンドルし、
前記生成モジュールは、前記外部オブジェクトによりバンドルされたウィンドウ属性設定方法に基づいて、前記ウェブサイト更新イベントにより更新されたページの属性を設定し、前記応答ウィンドウを生成し、
前記出力モジュールは、前記外部オブジェクトによりバンドルされたウィンドウ設定完了通知方法に基づいて、前記応答ウィンドウを出力することにより、前記インスタントメッセージングクライアントのユーザが前記応答ウィンドウで応答することを可能にすることを特徴とする請求項６に記載のシステム。
【請求項８】
前記ウィンドウ属性設定方法は、ウィンドウサイズ設定、ウィンドウ背景色設定又はウィンドウ表題設定を含むことを特徴とする請求項７に記載のシステム。
【請求項９】
前記システムは、さらに更新ユニットを含み、
前記更新ユニットは、出力された前記応答ウィンドウが閉じられておらず、かつ前記ユーザのＳＮＳでの再度更新された個人の動的情報を受信した場合、前記応答ウィンドウ用に再度更新された個人の動的情報のデータをリクエストし、かつ前記再度更新された個人の動的情報のデータに基づいて、前記応答ウィンドウに表示される内容をリアルタイムに更新することを特徴とする請求項６に記載のシステム。
【請求項１０】
前記更新イベントは、日記更新イベント、写真アルバム更新イベント、会話更新イベント、共有資料更新イベントの１つ以上を含むことを特徴とする請求項６に記載のシステム。
【発明の詳細な説明】
【技術分野】
【０００１】
本発明はネットワーク通信技術分野に属するものであり、特に、ウェブサイト更新イベントへの応答方法及びシステムに関するものである。
【背景技術】
【０００２】
ネットワーク技術の発展に伴い、様々なソーシャルネットワーキングサイト（Ｓｏｃｉａｌ  Ｎｅｔｗｏｒｋ  Ｓｉｔｅ、ＳＮＳ）、例えば、騰訊朋友（Ｔｅｎｃｅｎｔ Ｆｒｉｅｎｄｓ）、人人（Ｒｅｎｒｅｎ）、開心（Ｋａｉｘｉｎ）などのウェブサイトが開発された。ＳＮＳは、ユーザの多様なニーズ、例えば、友人間の交流や娯楽などに対応できるため、人々の日常生活の中で重要なコミュニケーションツールの一つとなっている。しかしながら、既存のＳＮＳは、まだ機能改善を必要とするところが多く存在する。例えば、あるユーザがＳＮＳ内で日記や、写真アルバム、会話、共有資料などを投稿した後、他のユーザがＳＮＳでその投稿についてコメントや応答を送った場合、そのコメントや応答は、クライアントソフトウェアを介して、コメントされたユーザに通知される。しかし、コメントされたユーザは、新しくブラウザとウェブページを開いて対応するコンテンツを見つけなければ、応答したり、コメントへ返信したりすることができない。
【発明の概要】
【発明が解決しようとする課題】
【０００３】
従来技術には、ユーザがＳＮＳでの更新コンテンツへ応答する時、新しいブラウザ及びウェブページを開いて対応するコンテンツを見つけなければ、応答したり、コメントへ返信したりすることができないといった問題がある。返信が遅れて行われるため、インタラクション（ｉｎｔｅｒａｃｔｉｏｎ）が比較的弱くなる可能性がある。
【課題を解決するための手段】
【０００４】
本発明の目的は、ソーシャルネットワーキングサイト（ＳＮＳ）での更新コンテンツへ応答する前にユーザが新しいブラウザおよびウェブページを開く必要があることを原因とする返信の遅れやインタラクションが比較的弱くなる可能性という問題を解決するウェブサイト更新イベントへの応答方法を提供する。
【０００５】
本発明の１つの実施例によれば、デジタルデータ処理装置によって実行されるウェブサイト更新イベントへの応答方法は、
インスタントメッセージングクライアント（ｉｎｓｔａｎｔ−ｍｅｓｓａｇｉｎｇ  ｃｌｉｅｎｔ）で、前記インスタントメッセージングクライアントの現在のユーザに関連付けられているユーザアカウントのＳＮＳでの個人の動的情報の更新イベントに関する指示メッセージを受信し、前記指示メッセージは、ユーザが応答するように指示する情報を含むステップと、
インスタントメッセージングクライアントで、ユーザが応答するように指示する情報が受信されると、更新された個人の動的情報をローディングかつレンダリングするステップと、
インスタントメッセージングクライアントで、ローディングかつレンダリングされ、更新された個人の動的情報に基づいて、応答ウィンドウを生成かつ出力することにより、インスタントメッセージングクライアントのユーザが前記応答ウィンドウで応答することを可能にするステップと、を含む。
【０００６】
本発明の１つの実施例によれば、ウェブサイト更新イベントへの応答システムは、情報受信ユニットとローディングユニットと出力ユニットとを含み、
前記情報受信ユニットは、インスタントメッセージングクライアントで、前記インスタントメッセージングクライアントの現在のユーザに関連付けられているユーザアカウントのＳＮＳでの個人の動的情報の更新イベントに関する指示メッセージを受信し、前記指示メッセージは、ユーザが応答するように指示する情報を含み、
前記ローディングユニットは、インスタントメッセージングクライアントで、ユーザが応答するように指示する情報が受信されると、更新された個人の動的情報をローディングかつレンダリングし、
前記出力ユニットは、インスタントメッセージングクライアントで、ローディングかつレンダリングされた更新された個人の動的情報に基づいて、応答ウィンドウを生成かつ出力することにより、インスタントメッセージングクライアントのユーザが前記応答ウィンドウで応答することを可能にする。
【発明の効果】
【０００７】
本発明の実施例において、インスタントメッセージングクライアントで、前記インスタントメッセージングクライアントの現在のユーザに関連付けられているユーザアカウントのＳＮＳでの個人の動的情報の更新イベントに関する指示メッセージを受信し、前記指示メッセージは、ユーザが応答するように指示する情報を含み、インスタントメッセージングクライアントで、ユーザが応答するように指示する情報が受信されると、更新された個人の動的情報をローディングかつレンダリングし、インスタントメッセージングクライアントで、ローディングかつレンダリングされた更新された個人の動的情報に基づいて、応答ウィンドウを生成かつ出力することにより、インスタントメッセージングクライアントのユーザが前記応答ウィンドウで応答することを可能にする。このように、本発明は、対応するウェブページを開かなくても応答することを可能にした。したがって、迅速なインタラクション及び適時なコミュニケーションが可能になった。これによって、ユーザがＳＮＳでの更新された個人の動的情報に対して応答しようとする時、新しいブラウザ及びウェブページを開いて対応するコンテンツを見つける必要がなく、迅速に応答することができる。
【図面の簡単な説明】
【０００８】
【図１】図１は、本発明の実施例１に係るウェブサイト更新イベントへの応答方法を示すフローチャートである。
【図２】図２は、ＳＮＳで他のインスタントメッセージングクライアントのユーザにより入力された情報の一例を示すプリントスクリーンである。
【図３】図３は、本発明の実施例１において、図２に示す情報に対応する指示ウィンドウの一例を示すプリントスクリーンである。
【図４】図４は、本発明の実施例１において、図３に示す指示ウィンドウに対応して生成される応答ウィンドウの一例を示すプリントスクリーンである。
【図５】図５は、本発明の実施例２に係るウェブサイト更新イベントへの応答方法を示すフローチャートである。
【図６】図６は、本発明の実施例３に係るウェブサイト更新イベントへの応答システムを示す構成図である。
【図７】図７は、本発明の実施例４に係るウェブサイト更新イベントへの応答システムを示す構成図である。
【発明を実施するための形態】
【０００９】
本発明の目的、技術構成及びメリットをさらに明確かつ明白にするために、以下において、図面及び実施例を参照しながら本発明についてさらに詳細に説明する。ここで記載している具体的な実施例は本発明の解釈にのみ用いるものであって、本発明を限定するものではないと理解すべきである。
【００１０】
本発明において、インスタントメッセージングクライアントで、インスタントメッセージングクライアントの現在のユーザに関連付けられているユーザアカウントのソーシャルネットワーキングサイト（ＳＮＳ）での個人の動的情報の更新イベントに関する指示メッセージを受信し、更新された個人の動的情報をローディングかつレンダリングし、かつローディングかつレンダリングされた更新された個人の動的情報に基づいて、応答ウィンドウを生成かつ出力することにより、インスタントメッセージングクライアントのユーザが応答ウィンドウで応答することを可能にする。したがって、ウェブページを開かないままでリアルタイムに応答することにより、迅速なインタラクション及び適時なコミュニケーションが実現可能になった。
【００１１】
ウェブサイト更新イベントへの応答方法は、
インスタントメッセージングクライアントで、インスタントメッセージングクライアントの現在のユーザに関連付けられているユーザアカウントのＳＮＳでの個人の動的情報の更新イベントに関する指示メッセージを受信し、前記指示メッセージは、ユーザが応答するように指示する情報を含むステップと、
インスタントメッセージングクライアントで、ユーザが応答するように指示する情報が受信されると、更新された個人の動的情報をローディングかつレンダリングするステップと、
インスタントメッセージングクライアントで、ローディングかつレンダリングされた更新された個人の動的情報に基づいて、応答ウィンドウを生成かつ出力することにより、ユーザが前記応答ウィンドウで応答することを可能にするステップと、を含む。
本発明は、さらに、ウェブサイト更新イベントへの応答システムを提供する。前記システムは、情報受信ユニットとローディングユニットと出力ユニットとを含み、
前記情報受信ユニットは、インスタントメッセージングクライアントで、前記インスタントメッセージングクライアントの現在のユーザに関連付けられているユーザアカウントのＳＮＳでの個人の動的情報の更新イベントに関する指示メッセージを受信し、前記指示メッセージは、ユーザが応答するように指示する情報を含み、
前記ローディングユニットは、インスタントメッセージングクライアントで、ユーザが応答するように指示する情報が受信されると、更新された個人の動的情報をローディングかつレンダリングし、
前記出力ユニットは、インスタントメッセージングクライアントで、ローディングかつレンダリングされた更新された個人の動的情報に基づいて、応答ウィンドウを生成かつ出力することにより、インスタントメッセージングクライアントのユーザが前記応答ウィンドウで応答することを可能にする。
【００１２】
以下、具体的に実施例を参照しながら、本発明を詳細に説明する。
【実施例】
【００１３】
＜実施例１＞
本実施例の１つの例示的なシナリオでは、インスタントメッセージングクライアントで前記クライアントのユーザに関連付けられているあるユーザアカウントのＳＮＳでの個人の動的情報の更新イベントに関する指示メッセージ（ｐｒｏｍｐｔｉｎｇ  ｉｎｆｏｒｍａｔｉｏｎ）が受信されると、その指示メッセージはユーザに出力される。応答オプションが選ばれると、応答ウィンドウがポップアップすることにより、ユーザは応答ウィンドウから更新されたイベントへ応答することができる。図１は、本発明の実施例１に係るウェブサイト更新イベントへの応答方法を示すフローチャートである。
【００１４】
ステップＳ１０１において、インスタントメッセージングクライアントで、前記インスタントメッセージングクライアントの現在のユーザに関連付けられているユーザアカウントのＳＮＳでの個人の動的情報の更新イベントに関する指示メッセージを受信し、前記指示メッセージはユーザが応答するように指示する情報を含む。
【００１５】
本実施例において、前記インスタントメッセージングクライアントの現在のユーザに関連付けられているユーザアカウントのＳＮＳでの個人の動的情報の更新イベントに関する指示メッセージを受信するインスタントメッセージングクライアントは、ＱＱクライアントである。
【００１６】
本実施例において、更新イベントは、例えば、ＳＮＳでのユーザアカウントによって投稿された日記更新イベント、写真アルバム更新イベント、会話更新イベント又は共有資料更新イベントなどである。
【００１７】
本実施例において、指示メッセージは、ＳＮＳでの個人の動的情報の更新イベントに関するメッセージの他に、更新イベントへの応答方法に関するメッセージを含む。具体的には、ユーザが応答オプションを選ぶことによって応答することを決定した場合、ステップＳ１０２が実行される。一方、さらなる操作が行われていない場合、指示メッセージは無視したり、隠したり、削除したりすることができる。
【００１８】
ステップＳ１０２において、インスタントメッセージングクライアントで、ユーザが応答するように指示する情報が受信されると、更新された個人の動的情報をローディング（ｌｏａｄ）し、レンダリング（ｒｅｎｄｅｒ）する。
【００１９】
本実施例において、更新された個人の動的情報をローディングかつレンダリングすることがインスタントメッセージングクライアントのバックエンド（ｂａｃｋｅｎｄ）で行われることにより、ユーザは個人の動的情報がローディング及びレンダリングされるプロセスを意識することなく、優れたユーザ体験（ｕｓｅｒ  ｅｘｐｅｒｉｅｎｃｅ）を得ることができる。
【００２０】
続いて、ステップＳ１０３において、インスタントメッセージングクライアントで、ステップ１０２の応答オプションが選ばれることに応じた、ローディングかつレンダリングされ、更新された個人の動的情報に基づいて、応答ウィンドウを生成し出力することにより、インスタントメッセージングクライアントのユーザが前記応答ウィンドウで応答することを可能にする。
【００２１】
本実施例において、インスタントメッセージングクライアントのユーザは、ＳＮＳを起動してログインせずに、ローディングかつレンダリングされた更新された個人の動的情報に基づいて生成された応答ウィンドウから、応答することができる。
【００２２】
実施例の理解を容易にするため、以下に、具体的に１つの例を挙げて、本実施例に係るインスタントメッセージングクライアントでの操作を説明する。しかし、本発明の特徴は、以下の例に制限されない。ＳＮＳの「騰訊朋友」を例とする。図２は、ユーザ「張曉晨」（第1インスタントメッセージングクライアントのユーザ１）が自分の騰訊朋友ウェブサイトで、ユーザ「謝炎」（第２インスタントメッセージングクライアントのユーザ２）に送られる対話ブロック２１に文字の対話を入力した状況を示す。文字の対話が無事伝送されると、外部オブジェクト、例えば、第２インスタントメッセージングクライアントのユーザ２のコンピュータ又は等価のデジタルデータ処理装置によって実行されるソフトウェアプログラムは、前記方法のステップＳ１０１を実行し、関連情報を受信する。前記情報は、必要に応じて、図３に示す指示ウィンドウのように、外部オブジェクトのディスプレイに表示されてもよい。前記指示ウィンドウは、「チェック」仮想ボタン３１と「応答」仮想ボタン３２とを含み、ユーザ２はそのいずれかを選択的に有効にすることができる。ユーザ２が指示ウィンドウの「応答」ボタン３２をクリックした場合、第２インスタントメッセージングクライアントは、ステップＳ１０２、続いてステップＳ１０３を実行する。これによって、更新された個人の動的情報がローディングかつレンダリングされ、図４に示す応答ウィンドウが生成され出力される。このように、ユーザ２は、ユーザ１に応答するため、応答ウィンドウの対話ブロック４１に入力してから、「送信」仮想ボタン４２をクリックすることで、ＳＮＳにログインせずに応答を完成させることができる。
【００２３】
本実施例に係るウェブサイト更新イベントへの応答方法は、インスタントメッセージングクライアントで、前記インスタントメッセージングクライアントの現在のユーザに関連付けられているユーザアカウントのＳＮＳでの個人の動的情報の更新イベントに関する指示メッセージを受信し、前記指示メッセージは、ユーザが応答するように指示する情報を含み、インスタントメッセージングクライアントで、ユーザが応答するように指示する情報が受信されると、更新された個人の動的情報をローディングかつレンダリングし、インスタントメッセージングクライアントで、ローディングかつレンダリングされた更新された個人の動的情報に基づいて、応答ウィンドウを生成かつ出力することにより、インスタントメッセージングクライアントのユーザが応答ウィンドウで応答することを可能にする。したがって、迅速なインタラクション及び適時なコミュニケーションが可能になった。このように、ユーザがＳＮＳでの更新された個人の動的情報に対して応答しようとする時、新しいブラウザ及びウェブページを開いて対応するコンテンツを見つける必要がなく、迅速に応答することができる。
＜実施例２＞
【００２４】
本発明の実施例２に係るウェブサイト更新イベントへの応答方法は、図５を参照しながら説明する。本実施例の例示的なシナリオは、実施例１に示すものと同じである。
【００２５】
ステップＳ５０１において、インスタントメッセージングクライアントで、前記インスタントメッセージングクライアントの現在のユーザに関連付けられているユーザアカウントのＳＮＳでの個人の動的情報の更新イベントに関する指示メッセージを受信し、前記指示メッセージはユーザが応答するように指示する情報を含む。
【００２６】
ステップＳ５０２において、インスタントメッセージングクライアント（第２インスタントメッセージングクライアント）で、ユーザが応答するように指示する情報が受信されると、更新された個人の動的情報をローディングかつレンダリングする。
【００２７】
本実施例において、ステップＳ５０１及びＳ５０２は、それぞれ実施例１におけるステップＳ１０１及びＳ１０２と同様に実行されるため、ここでは詳しい説明を省略する。
【００２８】
ステップＳ５０３において、インスタントメッセージングクライアントで、外部オブジェクトによりウィンドウ属性設定方法及びウィンドウ設定完了通知方法をバンドル（ｂｕｎｄｌｅ）する。前記外部オブジェクトは、上述したように、第２インスタントメッセージングクライアントのユーザ２のコンピュータ又は等価のデジタルデータ処理装置によって実行されるソフトウェアプログラムであってよい。
【００２９】
本実施例において、前記ウィンドウ属性設定方法は、ウィンドウサイズ設定、ウィンドウ背景色設定及び／又はウィンドウ表題設定などを含む。
【００３０】
ステップＳ５０４において、外部オブジェクトによりバンドルされたウィンドウ属性設定方法に基づいて、ウェブサイト更新イベントにより更新されたページの属性を設定することにより、応答ウィンドウを生成する。
【００３１】
ステップＳ５０５において、外部オブジェクトによりバンドルされたウィンドウ設定完了通知方法に基づいて、応答ウィンドウを出力することにより、インスタントメッセージングクライアントのユーザが前記応答ウィンドウで応答することを可能にする。
【００３２】
本実施例において、ステップＳ５０３からステップＳ５０５に示すように、応答ウィンドウは更新されたページに基づいて生成かつ出力されるため、インスタントメッセージングクライアントのユーザは前記応答ウィンドウで応答することが可能になる。さらに、インスタントメッセージングクライアントで外部オブジェクトにウィンドウ設定方法を組み込むことによって、更新されたページは、応答ウィンドウが表示されるようにリセットされ、インスタントメッセージングクライアントのユーザは、インストールスペースなしで、応答ウィンドウから簡単かつ便利に応答することができる。
【００３３】
ステップＳ５０６において、表示された応答ウィンドウが閉じられておらず、かつ前記ユーザのＳＮＳでの再度更新された個人の動的情報を受信した場合、応答ウィンドウ用に再度更新された個人の動的情報のデータをリクエストし、かつ再度更新された個人の動的情報のデータに基づいて、応答ウィンドウに表示される内容をリアルタイムに更新する。
【００３４】
本実施例において、出力された応答ウィンドウが閉じられていない状態であれば、第２インスタントメッセージングクライアントのユーザは、第１インスタントメッセージングクライアントのユーザと続けてコミュニケーションを取ることができるため、迅速かつ即時のコミュニケーションができる。それと同時に、本実施例に係る方法は、ＳＮＳから再度更新された個人の動的情報に応じて、応答ウィンドウ用に再度更新された個人の動的情報のデータをリクエストし、かつ再度更新された個人の動的情報のデータに基づいて、応答ウィンドウに表示される内容をリアルタイムに更新する。このステップにおいて、再度更新された個人の動的情報のデータのみがリクエストされるため、表示処理速度に悪影響を与えることはなく、満足のいくユーザ体験が期待できる。
＜実施例３＞
【００３５】
図６は、本発明の実施例３に係るウェブサイト更新イベントへの応答システムを示す構成図である。説明の便宜のために、本実施例の説明に関連する部分のみが図示されている。
【００３６】
本実施例に係るウェブサイト更新イベントへの応答システムは、情報受信ユニット６１と、ローディングユニット６２と、出力ユニット６３とを含む。
【００３７】
情報受信ユニット６１は、インスタントメッセージングクライアントで、前記インスタントメッセージングクライアントの現在のユーザに関連付けられているユーザアカウントのＳＮＳでの個人の動的情報の更新イベントに関する指示メッセージを受信し、前記指示メッセージは、ユーザが応答するように指示する情報を含む。
【００３８】
本実施例において、更新イベントは、別のユーザがＳＮＳで投稿した日記更新、写真アルバム更新、会話更新及び／又は共有資料更新などを含む。ローディングユニット６２は、インスタントメッセージングクライアントで、ユーザが応答するように指示する情報が受信されると、更新された個人の動的情報をローディングかつレンダリングする。
【００３９】
出力ユニット６３は、インスタントメッセージングクライアントで、ローディングかつレンダリングされた更新された個人の動的情報に基づいて、応答ウィンドウを生成かつ出力することにより、インスタントメッセージングクライアントのユーザが応答ウィンドウで応答することを可能にする。
【００４０】
本発明の実施例に係るウェブサイト更新イベントへの応答システムを用いて実施例２に係る方法を実行することができる。詳細については、実施例２に記載されているため、ここでは説明を省略する。
＜実施例４＞
【００４１】
図７は、本発明の実施例４に係るウェブサイト更新イベントへの応答システムを示す構成図である。説明の便宜のために、本実施例の説明に関連する部分のみが図示されている。
【００４２】
本実施例に係るウェブサイト更新イベントへの応答システムは、情報受信ユニット７１と、ローディングユニット７２と、出力ユニット７３と、更新ユニット７４とを含む。
【００４３】
必要に応じて、出力ユニット７３は、具体的に、バンドリングモジュール７３１と、生成モジュール７３２と、出力モジュール７３３とを含む。
【００４４】
バンドリングモジュール７３１は、インスタントメッセージングクライアントで、外部オブジェクトにより、ウィンドウ属性設定方法及びウィンドウ設定完了通知方法をバンドルする。
【００４５】
本実施例において、前記ウィンドウ属性設定方法は、ウィンドウサイズ設定、ウィンドウ背景色設定及び／又はウィンドウ表題設定などを含む。
【００４６】
生成モジュール７３２は、外部オブジェクトによりバンドルされたウィンドウ属性設定方法に基づいて、ウェブサイト更新イベントにより更新されたページの属性を設定することにより、応答ウィンドウを生成する。
【００４７】
出力モジュール７３３は、外部オブジェクトによりバンドルされたウィンドウ設定完了通知方法に基づいて、応答ウィンドウを出力することにより、インスタントメッセージングクライアントのユーザが応答ウィンドウで応答することを可能にする。
【００４８】
必要に応じて、ウェブサイト更新イベントへの応答システムは、さらに更新ユニット７４を含むことができる。
【００４９】
表示された応答ウィンドウが閉じられておらず、かつ前記ユーザのＳＮＳでの再度更新された個人の動的情報を受信した場合、更新ユニット７４は、応答ウィンドウ用に再度更新された個人の動的情報のデータをリクエストし、かつ再度更新された個人の動的情報のデータに基づいて、応答ウィンドウに表示される内容をリアルタイムに更新する。
【００５０】
本発明の実施例に係るウェブサイト更新イベントへの応答システムを用いて実施例２に係る方法を実行することができる。詳細については、実施例２の関連する説明を参照されたい。
【００５１】
注意すべきは、前述のシステムの実施例に含まれる各々のユニットは、機能及びロジックにより分類されている。また、本発明は、対応する機能が果たされればよく、前述のユニットに限定されるものではない。さらに、各機能ユニットの具体的な名称は、互いに区別しやすくするためだけであって、本発明の範囲を限定するために使用するものではない。
【００５２】
また、当業者は以下のように理解することができる。すなわち、前述の方法の実施例におけるステップの全部又は一部は、プログラムによって関連するハードウエアに指令を与えることによって実現することができる。また、前記プログラムは、例えば、ＲＯＭ、ＲＡＭ、ディスク又は光ディスクなどのコンピュータ読み取り可能な記憶媒体に格納することができる。
【００５３】
以上に説明したのは、本発明の比較的好ましい実施例であって、本発明を制限するためのものではない。添付の特許請求の範囲の精神及び範囲内に含まれる種々の変更や類似の構成は、すべて最も広い解釈によって本発明の保護範囲内に含まれる。
【図１】
0005899329.tif 000002
【図６】
0005899329.tif 000003
【図７】
0005899329.tif 000004
【図２】
0005899329.tif 000005
【図３】
0005899329.tif 000006
【図４】
0005899329.tif 000007
【図５】
0005899329.tif 000008